(57)【要約】【課題】  耐衝撃性の高いケースおよびそれを備えた時計を提供する。【解決手段】  裏面である下面に裏蓋８が取り付けられたケース部材２と、このケース部材２の外周を覆って裏蓋８の下面に取り付けられ、かつバンド取付部１９がケース部材２の外周に対応して設けられたカバー部材３と、を備えている。従って、腕時計ケース１が外部から衝撃を受けても、その衝撃をカバー部材３によって緩衝することができ、これによりカバー部材３によってケース部材２を良好に保護することができるので、耐衝撃性の高いものを提供することができる。【選択図】        図３
2020139804.tif 000002
【特許請求の範囲】
【請求項１】
裏蓋が取り付けられたケース部材と、
前記ケース部材の外周を覆って前記裏蓋の前記ケース部材側と異なる面に配置され、かつバンド取付部が前記ケース部材の前記外周に対応して設けられたカバー部材と、
を備えていることを特徴とするケース。
【請求項２】
請求項１に記載のケースにおいて、前記ケース部材の外周面とこれに対応する前記バンド取付部の内端面との間には、隙間が設けられていることを特徴とするケース。
【請求項３】
請求項１または請求項２に記載のケースにおいて、前記ケース部材は、硬質の本体ケースと、前記本体ケースの上部外周に設けられた軟質の外装ケースと、を備えていることを特徴とするケース。
【請求項４】
請求項２に記載のケースにおいて、前記隙間は、前記ケース部材の本体ケースの外周面とこれに対応する前記バンド取付部の内端面との間に設けられていることを特徴とするケース。
【請求項５】
請求項４に記載のケースにおいて、前記バンド取付部は、その内端部側の上端部がこれに対応する前記本体ケースの上部外周に設けられた外装ケースの外周部側の下端部に接近または接触して配置されていることを特徴とするケース。
【請求項６】
請求項４に記載のケースにおいて、前記隙間の少なくとも一部には、前記本体ケースの上部外周に設けられた外装ケースの外周側の下端部が配置されていることを特徴とするケース。
【請求項７】
請求項１〜請求項６のいずれに記載のケースにおいて、前記カバー部材は、前記裏蓋に緩衝体を介して複数のビスによって取り付けられていることを特徴とするケース。
【請求項８】
請求項１〜請求項７のいずれに記載されたケースを備えていることを特徴とする時計。
【発明の詳細な説明】
【技術分野】
【０００１】
この発明は、腕時計や携帯通信機、携帯端末機などの電子機器に用いられるケースおよびそれを備えた時計に関する。
【背景技術】
【０００２】
例えば、腕時計においては、特許文献１に記載されているように、裏面に裏蓋が設けられた腕時計ケースの外周部に先カン足と称するバンド取付部が設けられ、このバンド取付部に時計バンドが取り付けられる構造のものが知られている。
【先行技術文献】
【特許文献】
【０００３】
【特許文献１】特開２０００−３３００４号公報
【０００４】
この種の腕時計は、バンド取付部が腕時計ケースの外周部から斜め下側に向けて突出して設けられていることにより、バンド取付部の先端の下部が裏蓋の裏面よりも下側に位置し、この状態でバンド取付部に時計バンドが取り付けられるように構成されている。
【発明の概要】
【発明が解決しようとする課題】
【０００５】
しかしながら、このような腕時計では、腕時計ケースが裏面側から落下してバンド取付部の先端側の下部が床などの当接面に当接した際に、落下による衝撃がバンド取付部によって腕時計ケースにそのまま伝わるため、落下などの衝撃による影響を腕時計ケース内のモジュールが受けるという問題がある。
【０００６】
この発明が解決しようとする課題は、耐衝撃性の高いケースおよびそれを備えた時計を提供することである。
【課題を解決するための手段】
【０００７】
この発明は、裏蓋が取り付けられたケース部材と、前記ケース部材の外周を覆って前記裏蓋の前記ケース部材側と異なる面に配置され、かつバンド取付部が前記ケース部材の前記外周に対応して設けられたカバー部材と、を備えていることを特徴とするケースである。
【発明の効果】
【０００８】
この発明によれば、耐衝撃性の高いものを提供することができる。
【図面の簡単な説明】
【０００９】
【図１】この発明を腕時計に適用した第１実施形態を示した拡大正面図である。
【図２】図１に示された腕時計を分解して示した拡大斜視図である。
【図３】図１に示された腕時計のＡ−Ａ矢視における拡大断面図である。
【図４】この発明を腕時計に適用した第２実施形態における要部を示した拡大断面図である。
【発明を実施するための形態】
【００１０】
（第１実施形態）
以下、図１〜図３を参照して、この発明を腕時計に適用した第１実施形態について説明する。
この腕時計は、図１〜図３に示すように、腕時計ケース１を備えている。この腕時計ケース１は、ケース部材２とカバー部材３とを備えている。ケース部材２は、本体ケース４と外装ケース５とで構成されている。
【００１１】
本体ケース４は、図２および図３に示すように、金属または硬質の合成樹脂、例えばポリアミド樹脂にカーボン繊維またはガラス繊維を混入させた剛性の高い硬質の合成樹脂で、好ましくはポリアミド樹脂にカーボン繊維を混入させた剛性の高い硬質の合成樹脂で形成されている。この本体ケース４は、ほぼリング状に形成され、その上部側の内部に金属製の補強部４ａが埋め込まれた構造になっている。
【００１２】
この本体ケース４の上部開口部には、図２および図３に示すように、時計ガラス６がガラスパッキン６ａを介して取り付けられており、この時計ガラス６の下側における本体ケース４内には、リング状の見切り部材７が配置されている。また、この本体ケース４の下部には、裏蓋８が防水リング８ａを介して複数の第１ビス８ｂによって取り付けられている。この場合、裏蓋８には、複数の第１ビス８ｂが挿入する複数の第１ビス挿入孔８ｃがそれぞれ設けられている。
【００１３】
この本体ケース４の内部には、図２および図３に示すように、時計モジュール１０が緩衝シート９を介して配置されている。時計モジュール１０は、指針１１を運針させて時刻を指示表示する時計ムーブメント（図示せず）、時刻や日付などの情報を電気光学的に表示する表示部（図示せず）、これらを駆動して制御する回路基板１２、この回路基板１２に電源を供給する電池１３などの時計機能に必要な各種の電子部品を備えている。
【００１４】
また、この本体ケース４は、図１および図２に示すように、外周部における２時側、４時側、６時側、８時側、１０時側にそれぞれ押釦スイッチ１４の釦取付部１５が設けられている。これら複数の釦取付部１５それぞれは、本体ケース４の外部に突出する円筒部１５ａと、この円筒部１５ａ内の中心に位置する本体ケース４にその内外に貫通して設けられた貫通孔１５ｂと、を備えている。
【００１５】
この場合、押釦スイッチ１４は、図２に示すように、貫通孔１５ｂにスライド可能に挿入される操作軸１４ａと、この操作軸１４ａの外端部に設けられて円筒部１５ａ内に配置される釦頭部１４ｂと、を備えている。これにより、押釦スイッチ１４は、本体ケース４の外部から釦頭部１４ｂが押されると、操作軸１４ａが貫通孔１５ｂ内をスライドして、操作軸１４ａの内端部が本体ケース４内に押し込まれ、この押し込まれた操作軸１４ａの内端部が時計モジュール１０の接点部（図示せず）を押圧してスイッチ動作させるように構成されている。
【００１６】
一方、外装ケース５は、図１〜図３に示すように、ウレタン樹脂などの軟質の合成樹脂によって本体ケース４の上部外周を覆うリング状に形成されている。この外装ケース５は、本体ケース４の上部外周を覆った状態で、本体ケース４の上部に両面粘着テープ１６によって取り付けられている。この外装ケース５の外周部には、円弧状の複数の第１切欠き部５ａが本体ケース４の複数の釦取付部１５における各円筒部１５ａの上部側の外周に対応して設けられている。
【００１７】
この場合、複数の第１切欠き部５ａそれぞれは、図２に示すように、下部側が開放された円弧状に形成されている。これにより、外装ケース５は、本体ケース４の上部外周に配置された際に、本体ケース４の複数の釦取付部１５における各円筒部１５ａの上部側の外周が複数の第１切欠き部５ａ内に配置されるように構成されている。また、この外装ケース５の上面には、複数の飾りピース５ｂが設けられている。
【００１８】
ところで、カバー部材３は、図１〜図３に示すように、裏蓋８の裏面である下面に配置されるカバー本体１７と、本体ケース４の外周に配置される外周カバー部１８と、この外周カバー部１８における１２時側と６時側とに設けられたバンド取付部１９と、を備え、これらが合成樹脂によって一体に形成されている。
【００１９】
すなわち、このカバー部材３は、図１〜図３に示すように、硬質の合成樹脂、例えばポリアミド樹脂にカーボン繊維またはガラス繊維を混入させた剛性の高い硬質の合成樹脂で、好ましくはポリアミド樹脂にガラス繊維を混入させた剛性の高い硬質の合成樹脂で形成されている。このカバー部材３のカバー本体１７は、円板状に形成され、複数の第２ビス２０によって裏蓋８に取り付けられるように構成されている。
【００２０】
すなわち、このカバー本体１７には、図２および図３に示すように、複数の第２ビス２０がリング状の複数の緩衝体２１を介して挿入する複数の第２ビス挿入孔１７ａが設けられている。複数の緩衝体２１は、複数の第２ビス２０の各ネジ部２０ａがそれぞれ挿入されて裏蓋８にねじ込まれた際に、複数の第２ビス２０の各頭部２０ｂによってカバー本体１７の下面に押し当てられるように構成されている。
【００２１】
この場合、裏蓋８には、図２および図３に示すように、複数の第２ビス２０が螺入する複数のネジ孔８ｄがカバー本体１７の複数の第２ビス挿入孔１７ａに対応して設けられている。これにより、カバー本体１７は、複数の第２ビス２０がリング状の緩衝体２１を介して複数の第２ビス挿入孔１７ａに挿入されて裏蓋８の複数のネジ孔８ｄに螺入して締め付けられることにより、裏蓋８に取り付けられるように構成されている。
【００２２】
外周カバー部１８は、図２に示すように、カバー本体１７の外周に設けられて、本体ケース４の外周を覆うものであり、ほぼリング状に形成されている。この外周カバー部１８には、円弧状の複数の第２切欠き部１８ａが本体ケース４の複数の釦取付部１５における各円筒部１５ａの下部側の外周に対応して設けられている。
【００２３】
これにより、外周カバー部１８は、図２に示すように、本体ケース４の外周に配置された際に、本体ケース４の複数の釦取付部１５における各円筒部１５ａの下部側の外周が複数の第２切欠き部１８ａ内にそれぞれ挿入されて配置されるように構成されている。この場合、外周カバー部１８は、その上端部が本体ケース４の上部外周に取り付けられた外装ケース５の外周側の下端部に接近または接触して配置されるように構成されている。
【００２４】
また、この外周カバー部１８は、図３に示すように、カバー本体１７が裏蓋８の下面に取り付けられて本体ケース４の外周に配置された際に、外周カバー部１８の内周面と本体ケース４の外周面とが接近または接触して配置されていても良く、また外周カバー部１８の内周面と本体ケース４の外周面との間に、後述するバンド取付部１９と本体ケース４との間の隙間Ｓ１と同じ隙間（図示せず）をもって配置されていても良い。
【００２５】
これにより、外周カバー部１８は、図３に示すように、カバー本体１７が裏蓋８の下面に取り付けられて本体ケース４の外周に配置された状態で、腕時計ケース１が外部から衝撃を受けた際に、その衝撃を外周カバー部１８によって緩衝するように構成されている。この場合、外周カバー部１８は、その内周面と本体ケース４の外周面との間の隙間によって、本体ケース４の外周面に向けて接近するように撓み変形して、衝撃を緩衝するように構成されていることが望ましい。
【００２６】
一方、バンド取付部１９は、図１および図２に示すように、腕時計ケース１の１２時側と６時側とに時計バンド２３を取り付けるためのものであり、一対の取付突起部２４とバンド受け部２５とを備えている。一対の取付突起部２４は、外周カバー部１８から斜め下側に向けて突出して設けられている。
【００２７】
この場合、一対の取付突起部２４は、図１および図２に示すように、本体ケース４側の内端面が本体ケース４の外周面に接近して配置され、かつ外端部側の下部がカバー本体１７の下面よりも下側に位置するように、斜め下側に向けて傾斜して設けられている。
【００２８】
また、一対の取付突起部２４は、図３に示すように、本体ケース４側の内端面と本体ケース４の外周面との間に隙間Ｓ１が設けられている。この隙間Ｓ１は、一対の取付突起部２４が下側から衝撃を受けた際に、一対の取付突起部２４の内端部を本体ケース４の外周面に接近させるように撓み変形させるためのものである。
【００２９】
また、これら一対の取付突起部２４は、図３に示すように、その内端部側の上端部が本体ケース４の上部外周に設けられた外装ケース５の外周部の下端部に接近または接触して配置されている。これにより、一対の取付突起部２４は、その外端下部が押し上げられて、一対の取付突起部２４が押し上げられるように変形することにより、一対の取付突起部２４の内端部が本体ケース４の外周面に向けて接近するように撓み変形するように構成されている。
【００３０】
また、バンド取付部１９は、図１および図２に示すように、一対の取付突起部２４の間に時計バンド２３の端部が配置された状態で、時計バンド２３の端部が連結ピン２６によって回転可能に取り付けられるように構成されている。すなわち、一対の取付突起部２４には、連結ピン２６の両端部が挿入して取り付けられる一対の取付孔２４ａが同一軸上に対応して設けられている。
【００３１】
この場合、連結ピン２６は、図２に示すように、ばね棒であり、時計バンド２３の端部に設けられたピン挿入孔２３ａに挿入され、両端部がピン挿入孔２３ａから外部に突出し、この突出した両端部が一対の取付突起部２４の各取付孔２４ａに出没可能に挿入することにより、時計バンド２３の端部が一対の取付突起部２４間に配置された状態で回転可能に取り付けられるように構成されている。
【００３２】
バンド受け部２５は、図２に示すように、一対の取付突起部２４間に配置された時計バンド２３の端部の下面を受け止めるためのものであり、一対の取付突起部２４間における下部に一対の取付突起部２４と同様に斜め下側に向けて傾斜して設けられている。
【００３３】
この場合、バンド受け部２５は、図２に示すように、時計バンド２３の長手方向の長さが、一対の取付突起部２４の突出長さよりも短く形成されている。このため、時計バンド２３は、一対の取付突起部２４間に連結ピン２６によって取り付けられた状態で、連結ピン２６を中心に回転するように構成されている。
【００３４】
これにより、バンド取付部１９は、図２に示すように、予め、ばね棒である連結ピン２６を時計バンド２３の端部のピン挿入孔２３ａに挿入させて、連結ピン２６の両端部をピン挿入孔２３ａの両側から突出させた状態で、一対の取付突起部２４間に配置させる際に、突出した連結ピン２６の両端部を連結ピン２６の内部に押し込むことにより、一対の取付突起部２４間に時計バンド２３の端部が配置されるように構成されている
【００３５】
また、このバンド取付部１９は、図２に示すように、連結ピン２６の両端部が押し込まれて一対の取付突起部２４間に時計バンド２３の端部が配置された際に、時計バンド２３の端部の下面がバンド受け部２５上に押し当てられ、この状態で連結ピン２６の両端部が一対の取付突起部２４の各取付孔２４ａに対応して挿入されるように構成されている。これにより、時計バンド２３は、その端部がバンド取付部１９に回転可能に取り付けられている。
【００３６】
このため、このバンド取付部１９は、図２および図３に示すように、腕時計ケース１が裏面側から落下して床などの当接面Ｔに当接する際に、カバー本体１７の下側に突出した一対の取付突起部２４の外端下部が当接面Ｔに当接するので、一対の取付突起部２４の外端下部が押し上げられて、一対の取付突起部２４が押し上げられるように変形し、これら一対の取付突起部２４の内端部が本体ケース４の外周面に向けて接近するように撓み変形して、衝撃を緩衝するように構成されている。
【００３７】
次に、このような腕時計の作用について説明する。
この腕時計を組み立てる場合には、まず、ケース部材２を組み立てる。このときには、本体ケース４の上部開口部に、まず、リング状の見切り部材７を配置し、この状態で時計ガラス６をガラスパッキン６ａと共に取り付けて、時計ガラス６によって見切り部材７を本体ケース４内に押し付けて固定する。
【００３８】
この状態で、本体ケース４の上部外周に外装ケース５を両面粘着テープ１６によって取り付ける。このときには、外装ケース５に設けられた円弧状の複数の第１切欠き部５ａを本体ケース４の複数の釦取付部１５における各円筒部１５ａの上部側の外周にそれぞれ対応させて、複数の第１切欠き部５ａ内に複数の円筒部１５ａの各上部側の外周をそれぞれ配置させる。これにより、ケース部材２が組み立てられる。
【００３９】
そして、本体ケース４の内部に時計モジュール１０を本体ケース４の下側から挿入させて収納する。この状態で、本体ケース４の外周部における２時側、４時側、６時側、８時側、および１０時側に設けられた複数の釦取付部１５に複数の押釦スイッチ１４をそれぞれ取り付ける。
【００４０】
このときには、複数の押釦スイッチ１４の各操作軸１４ａを本体ケース４の外部から複数の釦取付部１５の各円筒部１５ａを通して本体ケース４の各貫通孔１５ｂ内にそれぞれ挿入させて、複数の押釦スイッチ１４の各釦頭部１４ｂを複数の釦取付部１５の各円筒部１５ａ内にそれぞれ配置させる。
【００４１】
すると、複数の押釦スイッチ１４の各操作軸１４ａの内端部が、本体ケース４内に押し込まれて、本体ケース４内の時計モジュール１０の複数の接点部（図示せず）にそれぞれ対応する。これにより、複数の押釦スイッチ１４は、時計モジュール１０の複数の接点部をスイッチ操作可能な状態で、本体ケース４の複数の釦取付部１５にそれぞれ取り付けられる。
【００４２】
この後、時計モジュール１０の下側に緩衝シート９を配置させて、本体ケース４の下面に裏蓋８を防水リング８ａと共に複数の第１ビス８ｂによって取り付ける。このときには、複数の第１ビス８ｂを裏蓋８の複数の第１ビス挿入孔８ｃにそれぞれ挿入させて本体ケース４の下部にネジ込んで締め付ける。これにより、裏蓋８が本体ケース４の下面に取り付けられる。
【００４３】
そして、裏蓋８の下面にカバー部材３を取り付ける。この場合には、カバー部材３のカバー本体１７を裏蓋８の下面に配置させて、外周カバー部１８を本体ケース４の外周に対応させると共に、バンド取付部１９を本体ケース４の１２時側と６時側とに対応させて配置させる。
【００４４】
このときには、外周カバー部１８に設けられた複数の第２切欠き部１８ａを本体ケース４の複数の釦取付部１５における各円筒部１５ａの下部側の外周に対応させ、これら複数の第２切欠き部１８ａに複数の釦取付部１５の各円筒部１５ａにおける下部側の外周をそれぞれ挿入させて配置させる。
【００４５】
これにより、本体ケース４の外周面と外周カバー部１８の内周面とが接近または接触して配置されるか、あるいは本体ケース４の外周面と外周カバー部１８の内周面との間にバンド取付部１９の隙間Ｓ１と同じ隙間（図示せず）をもって配置される。また、この状態では、外周カバー部１８の上端部が本体ケース４の上部外周に取り付けられた外装ケース５の外周側の下端部に接近または接触して配置される。このため、本体ケース４は、その外周が外装ケース５の外周部とカバー部材３の外周カバー部１８とによって覆われる。
【００４６】
また、このときは、バンド取付部１９が本体ケース４の１２時側と６時側との外周面に対応して配置される。この場合には、バンド取付部１９の一対の取付突起部２４の内端面と本体ケース４の外周面との間に隙間Ｓ１が設けられると共に、一対の取付突起部２４の内端部側の上端部が本体ケース４の上部外周に取り付けられた外装ケース５の外周側の下端部に接近または接触して配置される。
【００４７】
そして、カバー本体１７に設けられた複数の第２ビス挿入１７ａを裏蓋８に設けられた複数のネジ孔８ｄに対応させる。この状態で、複数の第２ビス２０をリング状の複数の緩衝体２１にそれぞれ挿入させて、複数の第２ビス２０に複数の緩衝体２１をそれぞれ取り付ける。
【００４８】
このときには、複数の緩衝体２１が取り付けられた複数の第２ビス２０をカバー本体１７の複数の第２ビス挿入１７ａにそれぞれ挿入させて裏蓋８の複数のネジ孔８ｄに螺合させる。これにより、複数の緩衝体２１が複数の第２ビス２０の各頭部２０ｂによってカバー部材３のカバー本体１７の下面に弾力的に押し当てられ、この状態でカバー部材３が裏蓋８の下面に取り付けられる。
【００４９】
この場合には、本体ケースの下面の裏蓋８がカバー本体１７によって覆われ、本体ケース４の上部外周が外装ケース５によって覆われ、本体ケース４の外周が外装ケース５の外周部とカバー部材３の外周カバー部１８とによって覆われた状態で、腕時計ケース１が組み立てられる。
【００５０】
この後、カバー部材３のバンド取付部１９に時計バンド２３を取り付ける。このときには、まず、連結ピン２６を時計バンド２３の端部のピン挿入孔２３ａに挿入させて、連結ピン２６の両端部をピン挿入孔２３ａの両側から突出させる。この状態で、一対の取付突起部２４間に配置させる際には、突出した連結ピン２６の両端部を連結ピン２６の内部に押し込んで、時計バンド２３の端部を一対の取付突起部２４間に配置させる。
【００５１】
このときには、一対の取付突起部２４間に配置された時計バンド２３の端部の下面をバンド受け部２５上に配置させて、連結ピン２６の両端部を一対の取付突起部２４に設けられた一対の取付孔２４ａにそれぞれ対応させる。すると、連結ピン２６の両端部が時計バンド２３の端部の両側から押し出されて一対の取付孔２４ａにそれぞれ挿入される。これにより、時計バンド２３の端部がカバー部材３のバンド取付部１９に回転可能に取り付けられ、腕時計が組み立てられる。
【００５２】
このような腕時計においては、カバー部材３がケース部材２の外周部を覆って裏蓋８の下面に取り付けられているので、腕時計ケース１が外部から衝撃を受けた際に、その衝撃がカバー部材３によって緩衝される。このため、カバー部材３によってケース部材２が良好に保護されているので、耐衝撃性が高められる。
【００５３】
すなわち、カバー部材３は、腕時計ケース１が裏面側から衝撃を受けた際に、裏蓋８の下面に配置されたカバー本体１７によって裏面側の衝撃から裏蓋８および本体ケース４を保護することができる。また、腕時計ケース１が外周側から衝撃を受けた際には、外装ケース５の外周部、および本体ケース４の外周に配置された外周カバー部１８とバンド取付部１９とによって外周側からの衝撃から本体ケース４を保護することができる。
【００５４】
この場合、腕時計が裏面側から落下して床などの当接面Ｔに当接する際には、カバー部材３のバンド取付部１９における一対の取付突起部２４の各外端下部が当接面Ｔに当接して、バンド取付部１９が衝撃を受ける。このときには、バンド取付部１９の一対の取付突起部２４の内端部が本体ケース４の外周面に向けて接近するように、一対の取付突起部２４が撓み変形して、衝撃を緩衝する。
【００５５】
すなわち、バンド取付部１９における一対の取付突起部２４の各内端面と本体ケース４の外周面との間に隙間Ｓ１が設けられ、かつ一対の取付突起部２４の各内端部側の上端部が本体ケース４の上部外周に取り付けられた外装ケース５の外周側の下端部に接近または接触して配置されているので、バンド取付部１９における一対の取付突起部２４の各外端下部が当接面Ｔに当接すると、一対の取付突起部２４の各外端下部が押し上げられる。
【００５６】
このため、バンド取付部１９の一対の取付突起部２４がカバー本体１７の外周部に位置する外周カバー部１８の下部を支点として本体ケース４の外周面に向けて接近する方向に撓み変形する。これにより、一対の取付突起部２４がその撓み変形によって本体ケース４の外周面に向けて接近するように変形するので、腕時計ケース１の落下による衝撃が緩衝される。このため、腕時計ケース１内の時計モジュール１０が衝撃による影響を受けないようにすることができる。
【００５７】
この場合、一対の取付突起部２４がその撓み変形によって本体ケース４の外周面に向けて接近するように変形して、カバー部材３のカバー本体１７が当接面Ｔに押し当てられた際には、複数の第２ビス２０の各頭部２０ｂよって裏蓋８の下面に押し当てられた複数の緩衝部２１によって衝撃が緩衝される。
【００５８】
また、腕時計ケース１が上方から衝撃を受けた際には、本体ケース４の上部外周に設けられた外装ケース５がウレタン樹脂などの軟質の合成樹脂によって形成されているので、この外装ケース５によって上方からの衝撃が緩衝されるので、本体ケース４が上方からの衝撃を直接受けないようにすることができる。
【００５９】
このように、この腕時計によれば、裏面である下面に裏蓋８が取り付けられたケース部材２と、このケース部材２の外周を覆って裏蓋８の下面に取り付けられ、かつバンド取付部１９がケース部材２の外周に対応して設けられたカバー部材３と、を備えていることにより、耐衝撃性の高いものを提供することができる。
【００６０】
すなわち、この腕時計では、カバー部材３がケース部材２の外周を覆って裏蓋８の下面に取り付けられているので、腕時計ケース１が外部から衝撃を受けても、その衝撃をカバー部材３によって緩衝することができ、これによりカバー部材３によってケース部材２を良好に保護することができるので、耐衝撃性の高いものを提供することができる。
【００６１】
この場合、この腕時計では、ケース部材２の外周面とこれに対応するカバー部材３のバンド取付部１９における内端部との間に隙間Ｓ１が設けられていることにより、腕時計ケース１が外部から衝撃を受けた際に、ケース部材２の外周面とバンド取付部１９の内端面との間の隙間Ｓ１によって、バンド取付部１９をケース部材２の外周面に向けて良好に変形させることができるので、腕時計ケース１が受けた衝撃をカバー部材３のバンド取付部１９によって良好に緩衝することができる。
【００６２】
また、この腕時計では、ケース部材２が硬質の本体ケース４とこの本体ケース４の上部外周に設けられた軟質の外装ケース５とを備えていることにより、腕時計ケース１が上方から衝撃を受けた際に、その衝撃を軟質の外装ケース５によって緩衝することができるので、軟質の外装ケース５によって硬質の本体ケース４を良好に保護することができ、これによっても耐衝撃性を確保することができる。
【００６３】
また、この腕時計では、隙間Ｓ１が本体ケース４の外周面とこれに対応するカバー部材３のバンド取付部１９の内端面つまりバンド取付部１９の一対の取付突起部２４の内端面との間に設けられていることにより、腕時計ケース１が外部から衝撃を受けた際に、ケース部材２の外周面と一対の取付突起部２４の内端面との間の隙間Ｓ１によって、バンド取付部１９の一対の取付突起部２４をケース部材２の外周面に向けて変形させることができるので、腕時計ケース１が受けた衝撃をバンド取付部１９によって確実にかつ良好に緩衝することができる。
【００６４】
この場合、この腕時計では、カバー部材３のバンド取付部１９における一対の取付突起部２４の外端下部がカバー部材３のカバー本体１７の下面よりの下側に突出して設けられていることにより、腕時計ケース１が裏面側から落下して、床などの当接面Ｔに一対の取付突起部２４の外端下部が当接して、一対の取付突起部２４の外端下部を押し上げるように変形させることができる。
【００６５】
このため、この腕時計では、落下による衝撃によって押し上げられた一対の取付突起部２４の内端部をケース部材２の外周面に向けて接近させるように、一対の取付突起部２４を撓み変形させることができるので、腕時計ケース１が落下によって受けた衝撃をバンド取付部１９によって確実にかつ良好に緩衝することができる。
【００６６】
また、この腕時計では、外装ケース５の外周側の下端部がカバー部材３のバンド取付部１９における一対の取付突起部２４の各上端部に接近または接触して配置されていることにより、腕時計ケース１が落下による衝撃を受けた際に、外装ケース５によって妨げられることなく、バンド取付部１９の一対に取付突起部２４をケース部材２の外周面に向けて確実にかつ良好に変形させて、腕時計ケース１が落下によって受けた衝撃をバンド取付部１９によって確実にかつ良好に緩衝することができる。
【００６７】
さらに、この腕時計では、カバー部材３が裏蓋８に複数の緩衝体２１を介して複数の第２ビス２０によって取り付けられていることにより、カバー部材３が裏面側から衝撃を受けた際に、その衝撃を複数の緩衝体２１によって緩衝することができる。すなわち、カバー部材３のカバー本体１７が当接面Ｔに押し当てられた際には、複数の第２ビス２０の各頭部２０ｂよって裏蓋８の下面に押し当てられた複数の緩衝部２１によって衝撃を良好に緩衝することができる。
【００６８】
（第２実施形態）
次に、図４を参照して、この発明を腕時計に適用した第２実施形態について説明する。なお、図１〜図３に示された第１実施形態と同一部分には同一符号を付して説明する。
この腕時計は、図４に示すように、外装ケース３０が第１実施形態と異なる構造であり、これ以外は第１実施形態とほぼ同じ構造になっている。
【００６９】
すなわち、この外装ケース３０は、図４に示すように、第１実施形態と同様、ウレタン樹脂などの軟質の合成樹脂によってリング状に形成されている。この場合にも、外装ケース３０は、本体ケース４の上部外周を覆った状態で、本体ケース４の上部に両面粘着テープ１６によって取り付けられている。
【００７０】
この外装ケース３０の外周部には、第１実施形態と同様、複数の第１切欠き部５ａが本体ケース４の複数の釦取付部１５における各円筒部１５ａの上部側の外周に対応して設けられている。これら複数の第１切欠き部５ａそれぞれは、下部側に開放された円弧状に形成されている。これにより、外装ケース３０は、本体ケース４の上部外周に配置された際に、本体ケース４の複数の釦取付部１５における各円筒部１５ａの上部側の外周が複数の第１切欠き部５ａ内にそれぞれ配置されるように構成されている。
【００７１】
また、この外装ケース３０は、図４に示すように、本体ケース４の外周の上部側を覆う外周部のうち、少なくともバンド取付部１９に対応する箇所の外周部の上下方向の長さが、第１実施形態の外装ケース５における外周部の上下方向の長さよりも長く形成されている。これにより、外装ケース３０は、その外周側の下端部がバンド取付部１９の内端部と本体ケース４との間に挟まれた状態で配置されるように構成されている。
【００７２】
すなわち、この外装ケース３０は、図４に示すように、外装ケース３０の外周側の下端部がバンド取付部１９の一対の取付突起部２４における内端部と本体ケース４の外周面との間に設けられた隙間Ｓ１の上部側に食い込んで挟まれた状態で配置されるように構成されている。この場合、外装ケース３０の外周側の下端部の下側には、隙間Ｓ１の空間が設けられている。
【００７３】
このような腕時計では、第１実施形態と同様、カバー部材３がケース部材２の外周部を覆って裏蓋８の下面に取り付けられているので、腕時計ケース１が外部から衝撃を受けた際に、その衝撃がカバー部材３によって緩衝される。このため、カバー部材３によってケース部材２が良好に保護されているので、耐衝撃性が高められる。
【００７４】
すなわち、カバー部材３は、第１実施形態と同様、腕時計ケース１が裏面側から衝撃を受けた際に、裏蓋８の下面に配置されたカバー本体１７によって裏面側の衝撃から裏蓋８および本体ケース４を保護することができる。また、腕時計ケース１が外周側から衝撃を受けた際には、外装ケース５の外周部、および本体ケース４の外周に配置された外周カバー部１８とバンド取付部１９とによって外周側の衝撃から本体ケース４を保護することができる。
【００７５】
この場合にも、腕時計が裏面側から落下してカバー部材３のバンド取付部１９における一対の取付突起部２４の各外端下部が床などの当接面Ｔ上に当接した際には、落下による衝撃によって一対の取付突起部２４の各外端下部が当接面Ｔに当接して押し上げられて、一対の取付突起部２４の各内端部が本体ケース４の外周面に向けて接近するように、一対の取付突起部２４が撓み変形する。
【００７６】
このときには、外装ケース３０の外周側の下端部がバンド取付部１９の一対の取付突起部２４の各内端部と本体ケース４の外周面との間に設けられた隙間Ｓ１の上部側に食い込んで挟まれた状態で配置され、かつ外装ケース３０の外周側の下端部の下側に隙間Ｓ１の空間が設けられるので、一対の取付突起部２４がカバー本体１７の外周部に位置する外周カバー部１８の下部を支点として本体ケース４の外周面に向けて接近する方向に撓み変形する。
【００７７】
すなわち、外装ケース３０がウレタン樹脂などの軟質の合成樹脂で形成され、かつ外装ケース３０の外周側の下端部がカバー部材３の外周カバー部１８の内端部と本体ケース４の外周面との間に挟まれていることにより、腕時計ケース１の落下による衝撃が外装ケース３０の外周側の下端部の弾力によって緩衝されるので、腕時計ケース１内の時計モジュール１０が衝撃による影響を受けないようにすることができる。
【００７８】
このように、この腕時計によれば、第１実施形態と同様の作用効果があるほか、本体ケース４の外周面とカバー部材３のバンド取付部１９の内端面との間に設けられた隙間Ｓ１の上部側に外装ケース３０の外周部の下端部が食い込んだ状態で配置されていることにより、外装ケース３０の外周側の下端部によって腕時計ケース１の落下による衝撃を緩衝することができる。
【００７９】
すなわち、この腕時計では、外装ケース３０がウレタン樹脂などの軟質の合成樹脂で形成され、かつ外装ケース３０の外周側の下端部がバンド取付部１９の一対の取付突起部２４における各内端部側の上端部とケース本体４の外周面との間に挟まれているので、外装ケース３０の外周側の下端部によって腕時計ケース１の落下による衝撃を緩衝することができ、これにより腕時計ケース１内の時計モジュール１０が衝撃による影響を受けるのを防ぐことができるので、耐衝撃性を高めることができる。
【００８０】
なお、上述した第２実施形態では、外装ケース３０の外周側の下端部がバンド取付部１９の一対の取付突起部２４の各内端部と本体ケース４の外周面との間に設けられた隙間Ｓ１の上部側に食い込んで配置されている場合について述べたが、この発明はこれに限らず、例えば外装ケース３０の外周側の下端部を一対の取付突起部２４の内端面と本体ケース４の外周面との間の隙間Ｓ１の全域に食い込ませて配置させた構造であっても良い。
【００８１】
また、上述した第１、第２実施形態では、腕時計が裏面側から落下して床などの当接面Ｔに当接する場合について述べたが、この発明はこれに限らず、例えば腕時計ケース１を卓上などの載置面上に配置させてカバー部材３のバンド取付部１９に一対の取付突起部２４の各外端下部を載置面上に接触させた状態で、腕時計ケース１が上方から衝撃を受けた場合にも、上述した第１、第２実施形態と同様の作用効果がある。
【００８２】
また、上述した第１、第２実施形態では、ケース部材２が硬質の本体ケース４と軟質の外装ケース５、３０とで構成されている場合について述べたが、この発明はこれに限らず、例えば硬質の本体ケースと硬質の外装ケースとで構成されていても良く、また硬質の本体ケースのみで形成されていても良い。
【００８３】
また、上述した第１、第２実施形態では、連結ピン２６がばね棒である場合について述べたが、この発明はこれに限らず、例えば一方の棒状部材に雄ねじ部が設けられ、他方の棒状部材に雌ネジ部が設けられたネジ部材であっても良く、また単純な棒状部材であっても良い。
【００８４】
さらに、上述した第１、第２実施形態では、腕時計に適用した場合について述べたが、この発明は必ずしも腕時計である必要はなく、例えばトラベルウオッチ、目覚まし時計、置き時計、掛け時計などの各種の時計に適用することができる。また、この発明は必ずしも時計である必要はなく、例えば携帯通信機や携帯端末機などの電子機器にも適用することができる。
【００８５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８６】
（付記）
請求項１に記載の発明は、裏蓋が取り付けられたケース部材と、前記ケース部材の外周を覆って前記裏蓋の前記ケース部材側と異なる面に配置され、かつバンド取付部が前記ケース部材の前記外周に対応して設けられたカバー部材と、を備えていることを特徴とするケースである。
【００８７】
請求項２に記載の発明は、請求項１に記載のケースにおいて、前記ケース部材の外周面とこれに対応する前記バンド取付部の内端面との間には、隙間が設けられていることを特徴とするケースである。
【００８８】
請求項３に記載の発明は、請求項１または請求項２に記載のケースにおいて、前記ケース部材は、硬質の本体ケースと、前記本体ケースの上部外周に設けられた軟質の外装ケースと、を備えていることを特徴とするケースである。
【００８９】
請求項４に記載の発明は、請求項２に記載のケースにおいて、前記隙間は、前記ケース部材の本体ケースの外周面とこれに対応する前記バンド取付部の内端面との間に設けられていることを特徴とするケースである。
【００９０】
請求項５に記載の発明は、請求項４に記載のケースにおいて、前記バンド取付部は、その内端部側の上端部がこれに対応する前記本体ケースの上部外周に設けられた外装ケースの外周部側の下端部に接近または接触して配置されていることを特徴とするケースである。
【００９１】
請求項６に記載の発明は、請求項４に記載のケースにおいて、前記隙間の少なくとも一部には、前記本体ケースの上部外周に設けられた外装ケースの外周側の下端部が配置されていることを特徴とするケースである。
【００９２】
請求項７に記載の発明は、請求項１〜請求項６のいずれに記載のケースにおいて、前記カバー部材は、前記裏蓋に緩衝体を介して複数のビスによって取り付けられていることを特徴とするケースである。
【００９３】
請求項８に記載の発明は、請求項１〜請求項７のいずれに記載されたケースを備えていることを特徴とする時計である。
【符号の説明】
【００９４】
１  腕時計ケース
２  ケース部材
３  カバー部材
４  本体ケース
５、３０  外装ケース
６  時計ガラス
８  裏蓋
８ａ  防水リング
８ｂ  第１ビス
８ｃ  第１ネジ挿入孔
８ｄ  ネジ孔
１０  時計モジュール
１７  カバー本体
１８  外周カバー部
１９  バンド取付部
２０  第２ビス
２０ａ  ネジ部
２０ｂ  頭部
２１  緩衝体
２３  時計バンド
２４  取付突起部
２４ａ  取付孔
２５  バンド受け部
２６  連結ピン
Ｓ１  隙間
Ｔ  当接面
【図１】
2020139804.tif 000003
【図２】
2020139804.tif 000004
【図３】
2020139804.tif 000005
【図４】
2020139804.tif 000006
【手続補正書】
【提出日】令和2年2月7日(2020.2.7)
【手続補正１】
【補正対象書類名】図面
【補正対象項目名】図２
【補正方法】変更
【補正の内容】
【図２】
2020139804.tif 000007